(57)【要約】      （修正有）【課題】ペットボトルをウォーターサーバに使用する際にペットボトル内の飲料が漏れないようにするための、簡単且つ衛生的なペットボトル用の栓を提供する。【解決手段】栓２００は、ペットボトル１０７のボトル口９０１を塞ぐための栓部２０１と、栓部２０１の動きを規制するための規制部と、栓部２０１と規制部２０４を連結する連結部２０９〜２１１と、栓部２０１がボトル口９０１に装着される途中では貫通孔２０７を通過したペットボトル１０７内の気体をペットボトル１０７の外へ排気可能にすると共に栓部２０１がボトル口９０１に装着された状態では塞がれてペットボトル１０７の外へ排気されないようにする通気孔と、栓部２０１を覆うように取り除き可能に取り付けられた被覆部２１２を備えている。被覆部２１２はボトル口９０１に装着された後、ペットボトル１０７がウォーターサーバに取り付けられる前に取り除かれる。【選択図】図９
0003188915.tif 000002
【実用新案登録請求の範囲】
【請求項１】
飲料を収容するペットボトル本体と前記飲料の出入り口であるボトル口とを有するペットボトルの前記ボトル口に装着された状態で、前記ペットボトル内の飲料及び気体が前記ボトル口を介して前記ペットボトルの外へ流出しないように前記ボトル口を塞ぐための栓部と、
貫通孔を有すると共に、前記ボトル口に装着された状態では前記栓部よりも前記ペットボトル本体寄りに位置して前記ボトル口の内壁面に当接する規制部と、
前記栓部と前記規制部を連結する連結部と、
前記栓部と前記規制部の間に前記貫通孔に連続して設けられ、前記栓部が前記ボトル口に装着される途中では前記貫通孔を通過した前記ペットボトル内の気体を前記ボトル口を介して前記ペットボトルの外へ排気可能にする通気孔と、
前記栓部が前記ボトル口に装着された状態で前記ボトル口の外側に露出する前記栓部の少なくとも一部を覆うことが可能なように、取り除き可能な状態で前記栓部に取り付けられた被覆部とを備えて成り、
前記規制部は、前記栓部が前記ボトル口に装着された状態において前記ボトル口の内壁面に当接することによって、前記栓部と前記ボトル口の内壁面との間に隙間が生じないように前記連結部を介して前記栓部の動きを規制することを特徴とするウォーターサーバに使用するペットボトル用の栓。
【請求項２】
前記被覆部は、前記栓部が前記ボトル口に装着された後、前記ペットボトルがウォーターサーバに取り付けられる前に取り除かれることを特徴とする請求項１記載のウォーターサーバに使用するペットボトル用の栓。
【請求項３】
前記栓部は、変形可能な部材によって形成され前記規制部から遠ざかる方向に突出した第１可変形部を周縁に有し、前記ボトル口に装着された状態では前記第１可変形部が前記ボトル口の内壁面によって押圧されて変形し前記ボトル口を塞ぐことを特徴とする請求項１又は２記載のウォーターサーバに使用するペットボトル用の栓。
【請求項４】
前記栓部は円板状の栓部本体部を有し、
前記第１可変形部は、前記規制部から遠ざかる方向に突出するように前記栓部本体部の周縁全域にわたって前記栓部本体部と一体的に設けられて成り、
前記栓部が前記ボトル口に装着された状態では、前記栓部本体部と前記ボトル口の内壁面によって押圧されて変形した第１可変形部とによって前記ボトル口を塞ぐことを特徴とする請求項３記載のウォーターサーバに使用するペットボトル用の栓。
【請求項５】
前記規制部は、変形可能な部材によって形成され前記栓部方向に突出した第２可変形部を周縁に有し、前記ボトル口に装着された状態では前記第２可変形部が前記ボトル口の内壁面によって押圧されて変形した状態で前記ボトル口の内壁面に当接することを特徴とする請求項１乃至４のいずれか一に記載のウォーターサーバに使用するペットボトル用の栓。
【請求項６】
前記規制部は円板状の規制部本体部を有し、
前記第２可変形部は、前記栓部方向に突出するように前記規制部本体部の周縁全域にわたって前記規制部本体部と一体的に設けられて成ることを特徴とする請求項５記載のウォーターサーバに使用するペットボトル用の栓。
【請求項７】
前記連結部は板状に構成され、
前記栓部と前記規制部は少なくとも３つの前記連結部によって連結されて成り、
前記通気孔は、前記栓部、規制部及び隣り合う連結部の間に形成されて成ることを特徴とする請求項１乃至６のいずれか一に記載のウォーターサーバに使用するペットボトル用の栓。
【考案の詳細な説明】
【技術分野】
【０００１】
本考案は、ペットボトルをウォーターサーバに使用する際ペットボトル内の飲料が漏れないようにするためのペットボトル用の栓に関する。
【背景技術】
【０００２】
従来から、飲料水等の飲料を充填した樹脂製容器（いわゆるガロンボトル）をウォーターサーバ上に載置し、前記ウォーターサーバにより、前記ガロンボトルに充填された飲料に対して加熱と冷却を行い、前記ウォーターサーバに設けられた注ぎ口から湯や冷水を注ぐようにした考案が開発されている（特許文献１参照）。
前記ガロンボトルは大きな容量（例えば１２リットル）を有しており、したがって、高齢者等の非力な者にとって、ガロンボトルの交換を行うことは労力的に大きな負担となり、困難が伴うという問題がある。
【０００３】
係る問題を解決するために、小容量（例えば２〜３リットル以下）の樹脂製飲料容器であるペットボトルを利用するようにした考案が開発されている（特許文献２参照）。
特許文献２記載の考案は、十字切欠付のパッキンを取り付けたパッキンキャップによりペットボトルに蓋をしておき、前記ペットボトルをウォーターサーバに取り付けることによってパッキンの十字切欠に飲料供給ノズルを挿通させて、ペットボトル内の水をウォーターサーバに供給するように構成されている。
上記のように構成された使い捨てのパッキンキャップを用いることによりペットボトルを利用できるため、非力な者にとって利便性が向上するという効果がある。
【０００４】
しかしながら、パッキンに形成した十字切欠が貫通した状態にあると、ペットボトルをうまく蓋することができず、ペットボトルをウォーターサーバに載置するためにペットボトルを逆さにした瞬間に、ペットボトル内の水が十字切欠を介して漏れる恐れがある。
また、前記十字切欠の深さを調整して十字切欠が貫通しない程度の切り込みに形成するにしても、十字切欠を形成する製造過程で最適な深さになるように微妙な調整が必要になる等して歩留まりが悪くなり、高価になる等の問題が生じる恐れがある。
【０００５】
さらに、パッキンが露出しているため、パッキンを円孔キャップに取り付けてパッキンキャップを構成する際や、パッキンキャップでペットボトルに蓋をする際等に、パッキンに手の雑菌や汚れ等が付着する恐れがある。パッキンキャップの十字切欠部分に雑菌や汚れ等が付着している場合、雑菌や汚れ等がウォーターサーバの水内に混入してしまい、衛生上の問題が生じる恐れがある。
【０００６】
一方、前記特許文献２記載の考案のような使い捨てのパッキンキャップを用いるのではなく、再利用可能な弁体等を用いるようにした考案が特許文献３、４に記載されている。
例えば、特許文献３記載の考案では、バネで弁体を閉状態にしてペットボトルに蓋をしておき、ペットボトルをウォーターサーバに取り付けることによって飲料供給ノズルで弁体を開状態にし、ペットボトル内の水をウォーターサーバに供給するように構成している。これにより再利用が可能になっている。
【０００７】
また、特許文献４に記載された考案では、摺動可能に構成した栓部によってペットボトルに栓をしておき、ペットボトルをウォーターサーバに取り付けることにより、水供給ノズルで栓部を摺動させて開状態にし、ペットボトル内の水をウォーターサーバに供給するように構成している。これにより再利用が可能になっている。
【０００８】
しかしながら、特許文献３、４記載の考案は、再利用可能にするために、栓等を開閉するための可動部分が設けられており、構成が複雑で高価になるという問題がある。
【先行技術文献】
【特許文献】
【０００９】
【特許文献１】特開２０１０−２６９８２９号公報
【特許文献２】特開２００４−１４２８２６号公報
【特許文献３】特開２００６−２２５０１２号公報
【特許文献４】実用新案登録第３１７０１８５号公報
【考案の概要】
【考案が解決しようとする課題】
【００１０】
本考案は、ペットボトルをウォーターサーバに使用する際にペットボトル内の飲料が漏れないようにするためのペットボトル用の栓に関して、構成が簡単で廉価にして衛生的な栓を提供することを課題としている。
【課題を解決するための手段】
【００１１】
本考案によれば、
飲料を収容するペットボトル本体と前記飲料の出入り口であるボトル口とを有するペットボトルの前記ボトル口に装着された状態で、前記ペットボトル内の飲料及び気体が前記ボトル口を介して前記ペットボトルの外へ流出しないように前記ボトル口を塞ぐための栓部と、
貫通孔を有すると共に、前記ボトル口に装着された状態では前記栓部よりも前記ペットボトル本体寄りに位置して前記ボトル口の内壁面に当接する規制部と、
前記栓部と前記規制部を連結する連結部と、
前記栓部と前記規制部の間に前記貫通孔に連続して設けられ、前記栓部が前記ボトル口に装着される途中では前記貫通孔を通過した前記ペットボトル内の気体を前記ボトル口を介して前記ペットボトルの外へ排気可能にする通気孔と、
前記栓部が前記ボトル口に装着された状態で前記ボトル口の外側に露出する前記栓部の少なくとも一部を覆うことが可能なように、取り除き可能な状態で前記栓部に取り付けられた被覆部とを備えて成り、
前記規制部は、前記栓部が前記ボトル口に装着された状態において前記ボトル口の内壁面に当接することによって、前記栓部と前記ボトル口の内壁面との間に隙間が生じないように前記連結部を介して前記栓部の動きを規制することを特徴とするウォーターサーバに使用するペットボトル用の栓が提供される。
【考案の効果】
【００１２】
本考案によれば、ペットボトルをウォーターサーバに使用する際にペットボトル内の飲料が漏れないようにするためのペットボトル用の栓に関して、構成が簡単で廉価にして衛生的な栓を提供することが可能になる。
【図面の簡単な説明】
【００１３】
【図１】本考案の実施の形態に係るウォーターサーバに使用するペットボトル用の栓を利用して、ペットボトルをウォーターサーバに取り付けた状態を示す外観図である。
【図２】本考案の実施の形態に係るウォーターサーバに使用するペットボトル用の栓の斜視図である。
【図３】本考案の実施の形態に係るウォーターサーバに使用するペットボトル用の栓の分解斜視図である。
【図４】本考案の実施の形態に係るウォーターサーバに使用するペットボトル用の栓の平面図である。
【図５】本考案の実施の形態に係るウォーターサーバに使用するペットボトル用の栓の正面図である。
【図６】図２において被覆部２１２を取り除いた状態のＡ−Ａ断面図である。
【図７】図２において被覆部２１２を取り除いた状態のＢ−Ｂ断面図である。
【図８】図２のＣ−Ｃ断面図である。
【図９】本考案の実施の形態に係るウォーターサーバに使用するペットボトル用の栓をペットボトルに装着する途中を示す説明図である。
【図１０】本考案の実施の形態に係るウォーターサーバに使用するペットボトル用の栓をペットボトルに装着した状態を示す説明図である。
【図１１】本考案の実施の形態に係るウォーターサーバに使用するペットボトル用の栓を利用して、ペットボトルをウォーターサーバに取り付ける途中を示す説明図である。
【図１２】本考案の実施の形態に係るウォーターサーバに使用するペットボトル用の栓を利用して、ペットボトルをウォーターサーバに取り付けた状態を示す説明図である。
【考案を実施するための形態】
【００１４】
以下、本考案の実施の形態に係るウォーターサーバに使用するペットボトル用の栓について、図面を用いて説明する。尚、各図において、同一部分には同一符号を付している。
図１は、本考案の実施の形態に係るウォーターサーバに使用するペットボトル用の栓を利用して、ペットボトルをウォーターサーバに取り付けた状態を示す外観図である。
【００１５】
図１において、ウォーターサーバ１０１は、ウォーターサーバ本体１０２、ウォーターサーバ本体１０２の前面に配設された冷水栓１０５及び温水栓１０６を備えている。１０３はウォーターサーバ１０１の上部、１０４はウォーターサーバ１０１の下部である。
下部１０４側が所望の位置に設置され、上部１０３には、本考案の実施の形態に係るウォーターサーバ１０１に使用するペットボトル用の栓を利用したペットボトル１０７が取り付けられて利用される。
【００１６】
ウォーターサーバ１０１は、上部１０３側から供給される飲料を加熱する機能と冷却する機能を有しており、冷水栓１０５、温水栓１０６を開くことによって、冷飲料、温飲料が供給されるように構成されている。
ペットボトル１０７は、小容量（例えば２〜３リットル以下）の樹脂製飲料容器である。ペットボトル１０７は、液体飲料を収容するペットボトル本体（後述する９０２）と、前記ペットボトル本体に対する前記飲料の出入り口であるボトル口（後述する９０１）を有している。
【００１７】
図２は本考案の実施の形態に係るウォーターサーバ１０１に使用するペットボトル１０７用の栓２００の斜視図、図３は栓２００の分解斜視図である。図４は栓２００の平面図、図５は栓２００の正面図である。また、図６は図２において被覆部２１２を取り除いた状態のＡ−Ａ断面図、図７は図２において被覆部２１２を取り除いた状態のＢ−Ｂ断面図、図８は図２におけるＣ−Ｃ断面図である。
【００１８】
図１〜図８において、本考案の実施の形態に係るウォーターサーバ１０１に使用するペットボトル１０７用の栓２００は、ペットボトル１０７のボトル口に装着されて前記ボトル口を塞いでペットボトル１０７内の飲料や気体の流出を防ぐ栓部２０１を有している。
また、栓２００は、貫通孔２０７を有すると共に、前記ボトル口に装着された状態では栓部２０１よりも前記ペットボトル本体寄りに位置して前記ボトル口の内壁面に当接する規制部２０４を有している。本実施の形態では１つの貫通孔２０７を設けたが、複数の貫通孔を設けるように構成してもよい。
【００１９】
また、栓２００は、栓部２０１と規制部２０４を連結する連結部２０９〜２１１を有している。連結部２０９〜２１１は板状の部材によって形成されている。連結部２０９〜２１１は、柔らかすぎると栓部２０１の動きを規制できないため、規制部２０４が連結部２０９〜２１１を介して栓部２０１の動きを規制できるように所定強度以上の部材によって形成する。また、連結部２０９〜２１１は、栓部２０１の動きを規制部２０４によってより確実に規制できるように、少なくとも３つの連結部２０９〜２１１によって構成することが好ましい。
【００２０】
また、栓２００は、栓部２０１と規制部２０４の間に貫通孔２０７に連続して設けられ、栓部２０１が前記ボトル口に装着される途中では貫通孔２０７を通過したペットボトル１０７内の気体（例えば空気）をペットボトル１０７の外へ排気可能にする通気孔２１５〜２１７を有している。
【００２１】
本実施の形態では、栓部２０１と規制部２０４を少なくとも３つの板状の連結部２０９〜２１１によって連結するように構成し、通気孔２１５〜２１７は、栓部２０１、規制部２０４及び隣り合う連結部２０９〜２１１の間に形成するように構成されている。
即ち、通気孔２１５は栓部２０１、規制部２０４及び連結部２０９、２１０の間に形成されている。通気孔２１６は栓部２０１、規制部２０４及び連結部２１０、２１１の間に形成されている。通気孔２１７は栓部２０１、規制部２０４及び連結部２１１、２０９の間に形成されている。各通気孔２１５〜２１７は貫通孔２０７と連続している。
【００２２】
また、栓２００は、栓部２０１が前記ボトル口に装着された状態で、前記ボトル口の外側に露出する栓部２０１の少なくとも一部を覆うように栓部２０１に取り除き可能に取り付けられた被覆部２１２を有している。
被覆部２１２はシート状の樹脂製フィルムによって形成されており、円板状の被覆部本体部２１３、及び、被覆部本体部２１３と一体的に形成され被覆部２１２を栓部２０１から剥離して取り除く際に指で挟むことが可能な把持部２１４を有している。
【００２３】
被覆部本体部２１３は、被覆部本体部２１３を介して指や手で栓部２０１を押圧して栓２００をボトル口９０１に装着する際に、指や手の雑菌や汚れが栓部２０１に付着しない範囲で栓部２０１を覆っていればよい。したがって、被覆部本体部２１３は、栓部２０１の少なくとも一部、例えば栓部２０１の全体又は少なくとも栓部本体部２０２を覆う形状に形成されている。
【００２４】
被覆部２１２の栓部２０１に対向する面には接着剤が塗布されている。被覆部２１２は前記接着剤によって、付箋紙のように剥離可能な状態で栓部２０１に被着されている。これにより、栓部２０１は被覆部２１２により覆われている。
栓２００は、被覆部２１２が栓部２０１に被着された状態でペットボトル１０７に装着される。被覆部２１２は、栓部２０１がペットボトル１０７の前記ボトル口に装着された後、ペットボトル１０７がウォーターサーバ１０１に取り付けられる前に剥離して取り除かれる。これにより、被覆部２１２に雑菌や汚れが付着したとしても、これらがウォーターサーバ１０１内に混入するのを防止できるように構成されている。
【００２５】
規制部２０４は、栓部２０１が前記ボトル口に装着された状態で前記ボトル口の内壁面に当接することによって、栓部２０１と前記ボトル口の内壁面との間に隙間が生じないように連結部２０９〜２１１を介して栓部２０１の動きを規制する。
栓部２０１は、前記ボトル口に装着された状態ではペットボトル１０７内の飲料及び気体がペットボトル１０７の外へ流出しないように前記ボトル口を塞ぐ。
【００２６】
栓部２０１は、ボトル口９０１に装着された状態で、ペットボトル１０７内の飲料９０３及び気体がボトル口９０１を介してペットボトル１０７の外へ流出しないようにボトル口９０１を塞ぐためのものである。
栓部２０１は円板状の栓部本体部２０２を有している。また、栓部２０１は、変形可能な部材によって形成された第１可変形部２０３を周縁に有している。第１可変形部２０３は、規制部２０４から遠ざかる方向に突出するように栓部本体部２０２の周縁全域にわたって栓部本体部２０２と一体的に設けられている。
【００２７】
前記ボトル口に装着された状態では第１可変形部２０３が前記ボトル口の内壁面によって押圧されて変形し（例えば皺がよるように変形し）、前記ボトル口を気密に塞ぐように構成されている。第１可変形部２０３は可塑性部材、可撓性部材、弾性部材（例えばプラスチック、発泡スチロール、ゴム）等の変形可能な材料によって形成することができる。
規制部２０４は円板状の規制部本体部２０５を有している。また、規制部２０４は、変形可能な部材によって形成された変形可能な第２可変形部２０６を周縁に有している。第２可変形部２０６は、栓部２０１方向に突出するように規制部本体部２０５の周縁全域にわたって規制部本体部２０５と一体的に設けられている。
【００２８】
前記ボトル口に装着された状態では第２可変形部２０６が前記ボトル口の内壁面によって押圧されて変形した状態（例えば皺がよるように変形した状態）で前記ボトル口の内壁面に当接するように構成することができる。第２可変形部２０６は可塑性部材、可撓性部材、弾性部材（例えばプラスチック、発泡スチロール、ゴム）等の変形可能な材料によって形成することができる。
【００２９】
また、栓部２０１、規制部２０４、連結部２０９〜２１１を構成する材料としては、プラスチック、発泡スチロール等の発泡プラスチックをはじめとして、合成樹脂や金属等の種々の材料が使用できる。
例えば、栓部２０１を発泡プラスチックによって形成する場合、栓部本体部２０２は所定強度以下の力では変形しないように所定強度を有するよう所定厚みに形成し、第１可変形部２０３は所定強度以下の力で変形可能なように栓部本体部２０２よりも薄い所定厚み以下に形成する。栓部本体部２０２と第１可変形部２０３は、強度等が適切な材料を選ぶことにより、金型によって一体形成することもできる。
【００３０】
また、規制部２０４を発泡プラスチックによって形成する場合、規制部本体部２０５は所定強度以下の力では変形しないように所定強度を有するよう所定厚みに形成し、第２可変形部２０６は所定強度以下の力で変形可能なように規制部本体部２０５よりも薄い所定厚み以下に形成する。規制部本体部２０５と第２可変形部２０６は、強度等が適切な材料を選ぶことにより、金型によって一体形成することができる。
【００３１】
また、連結部２０９〜２１１は容易に変形しないように所定強度を有するプラスチックによって形成することができる。
栓部２０１、規制部２０４、連結部２０９〜２１１を、接着剤による接着、溶着あるいは金型による一体成形等によって一体的に形成した後、栓部２０１の外面側に被覆部２１２を剥離可能なように接着剤で貼付することによって栓２００が形成される。
【００３２】
上記のように構成された栓２００を用いてウォーターサーバ１０１にペットボトル１０７を取り付ける際の動作を図９〜図１２に沿って説明する。
図９は、栓２００をペットボトル１０７に装着する途中を示す説明図であり、図１０は栓２００をペットボトル１０７に装着完了した状態を示す説明図である。また、図１１は栓２００を利用してペットボトル１０７をウォーターサーバ１０１に取り付ける途中を示す説明図であり、図１２は栓２００を利用してペットボトル１０７をウォーターサーバ１０１に取り付けた状態を示す説明図である。
【００３３】
使用者は、ペットボトル本体９０２内に飲料９０３が充填されたペットボトル１０７を、ボトル口９０１を上側にして直立させ、この状態で栓２００を規制部２０４の方から先にボトル口９０１内に挿入する。
次に、被覆部本体部２１３の上から指で栓２００を押圧する。栓２００をボトル口９０１に完全に装着するまでの途中の状態（図９参照）では、ペットボトル１０７内の気体（例えば空気）は栓２００をペットボトル口９０１内に押し込むに従って、貫通孔２０７及び通気孔２１５〜２１７を介してペットボトル１０７外部へ排気される。このため、ペットボトル１０７内の気体の抵抗を受けることなく容易に栓２００をボトル口９０１内に押し込むことが可能になる。
【００３４】
被覆部本体部２１３の上から指で栓２００を、栓部２０１がボトル口９０１を塞ぐ位置（例えば、被覆部２１２がボトル口９０１の最上部と面一になる位置）までボトル口９０１内に押し込むことにより、栓２００のボトル口９０１への装着が完了する（図１０参照）。
この状態では、第１可変形部２０３がボトル口９０１によって押圧されることによって皺が発生し、栓部本体部２０２及び第１可変形部２０３によってボトル口９０１が塞がれる。
【００３５】
また、第２可変形部２０６がボトル口９０１の内壁面によって押圧されて皺がよった状態でボトル口９０１内壁面に当接する。これにより、栓部２０１は連結部２０９〜２１１を介して規制部２０４によって動きが規制される。
ボトル口９０１が栓部２０１によって塞がれるため、ペットボトル１０７内の気体及び飲料９０３がペットボトル１０７の外部へ漏れることは防止される。また、栓部２０１は連結部２０９〜２１１を介して規制部２０４によって動きが規制されるため、ボトル口９０１が栓部２０１によって良好に塞がれることになる。
【００３６】
ペットボトル１０７をウォーターサーバ１０１に取り付ける場合、被覆部２１２の把持部２１４を指で把持して剥離することにより、被覆部２１２を栓部２０１から取り除く。
次に、ペットボトル１０７を倒立させて、ボトル口９０１がウォーターサーバ１０１の上部１０３の飲料供給ノズル１００１に対面するように、ペットボトル１０７をウォーターサーバ１０１に位置合わせする（図１１参照）。
【００３７】
この状態で、飲料供給ノズル１００１がボトル口９０１内に挿入されるようにペットボトル１０７を押し下げてペットボトル１０７をウォーターサーバ１０１に取り付けると、飲料供給ノズル１００１によって栓２００がペットボトル１０７内に押し上げられて、栓２００がボトル口９０１からペットボトル１０７内に脱落する（図１２参照）。
これにより、ペットボトル１０７内の飲料９０３がボトル口９０１及び飲料供給ノズル１００１を介してウォーターサーバ１０１内に供給されることになる。
【００３８】
以上述べたように本考案の実施の形態に係るウォーターサーバに使用するペットボトル用の栓２００は、
飲料９０３を収容するペットボトル本体９０２と飲料９０３の出入り口であるボトル口９０１とを有するペットボトル１０７のボトル口９０１に装着された状態で、ペットボトル１０７内の飲料９０３及び気体がボトル口９０１を介してペットボトル１０７の外へ流出しないようにボトル口９０１を塞ぐための栓部２０１と、
貫通孔２０７を有すると共に、ボトル口９０１に装着された状態では栓部２０１よりもペットボトル本体９０２寄りに位置してボトル口９０１の内壁面に当接する規制部２０４と、
栓部２０１と規制部２０４を連結する連結部２０９〜２１１と、
栓部２０１と規制部２０４の間に貫通孔２０７に連続して設けられ、栓部２０１がボトル口９０１に装着される途中では貫通孔２０７を通過したペットボトル１０７内の気体をボトル口９０１を介してペットボトル１０７の外へ排気可能にする通気孔２１５〜２１７と、
栓部２０１がボトル口９０１に装着された状態でボトル口９０１の外側に露出する栓部２０１の少なくとも一部を覆うことが可能なように、取り除き可能な状態で栓部２０１に取り付けられた被覆部２１２とを備えて成り、
規制部２０４は、栓部２０１がボトル口９０１に装着された状態においてボトル口９０１の内壁面に当接することによって、栓部２０１とボトル口９０１の内壁面との間に隙間が生じないように連結部２１５〜２１７を介して栓部２０１の動きを規制することを特徴とするウォーターサーバに使用するペットボトル用の栓が提供される。
被覆部２１２は、栓部２０１がボトル口９０１に装着された後、ペットボトル１０７がウォーターサーバ１０１に取り付けられる前に取り除かれる。
【００３９】
したがって、ペットボトル１０７をウォーターサーバ１０１に使用する際にペットボトル１０７内の飲料９０３が漏れないようにするためのペットボトル用の栓２００に関して、構成が簡単で廉価なペットボトル１０７用の栓２００を提供することが可能になる。
また、ペットボトル１０７をウォーターサーバ１０１に装着する過程で、ペットボトル１０７内の飲料９０３が漏れるのを防止することが可能になる。
また、栓部２０１は被覆部２１２によって覆われており、被覆部２１２はペットボトル１０７をウォーターサーバ１０１に取り付ける前に取り除くように構成されているため、栓２００をペットボトル１０７に装着する過程では、手に雑菌や汚れが付着している場合でも、それらが栓部２０１等に付着して飲料９０３に混入することを防止でき、極めて衛生的である等の効果を奏する。
【００４０】
尚、本考案の実施の形態に係るウォーターサーバ１０１に使用するペットボトル１０７の栓２００は、種々の変更が可能である。
例えば、連結部２０９〜２１１の全て又は一部を金型によって一体に形成して連結した構成にしてもよい。また、連結部２０９〜２１１は平板によって構成するのではなく、平板状の部材を栓部２０１や規制部２０４の周縁形状と同じ曲面形状（例えば円弧状）に湾曲させた断面Ｕ字状の板状部材（曲面状の板部材）によって構成してもよい。
【００４１】
また、連結部を太い円柱状部材や角状部材によって構成し、当該１つの連結部を使用するように構成してもよい。また、連結部材を１つの筒状の部材によって形成すると共に、前記筒状の部材に貫通孔を設けることによって通気孔を形成するようにしてもよい。また、連結部２０９〜２１１を板部材によって形成したが、複数の棒状部材によって形成するようにしてもよい。
また、ペットボトルに充填された飲料９０３として、水や緑茶のみならず、コーヒーや紅茶等の各種飲料が利用可能である。
【産業上の利用可能性】
【００４２】
飲料を充填したペットボトルをウォーターサーバに取り付ける際に、前記ペットボトルに使用する栓に適用可能である。
【符号の説明】
【００４３】
１０１・・・ウォーターサーバ
１０２・・・ウォーターサーバ本体
１０３・・・ウォーターサーバの上部
１０４・・・ウォーターサーバの下部
１０５・・・冷水栓
１０６・・・温水栓
１０７・・・ペットボトル
２００・・・栓
２０１・・・栓部
２０２・・栓部本体部
２０３・・・第１可変形部
２０４・・・規制部
２０５・・・規制部本体部
２０６・・・第２可変形部
２０７・・・貫通孔
２０９〜２１１・・・連結部
２１２・・・被覆部
２１３・・・被覆部本体部
２１４・・・把持部
２１５〜２１７・・・通気孔
９０１・・・ボトル口
９０２・・・ペットボトル本体
９０３・・・飲料
１００１・・・飲料供給ノズル
【図１】
0003188915.tif 000003
【図２】
0003188915.tif 000004
【図３】
0003188915.tif 000005
【図４】
0003188915.tif 000006
【図５】
0003188915.tif 000007
【図６】
0003188915.tif 000008
【図７】
0003188915.tif 000009
【図８】
0003188915.tif 000010
【図９】
0003188915.tif 000011
【図１０】
0003188915.tif 000012
【図１１】
0003188915.tif 000013
【図１２】
0003188915.tif 000014